(57)【要約】【課題】調整機構等の回転操作がし易く、加熱された蒸気滅菌に対して耐久性を確保できる医療機器を提供する。【解決手段】気密にされた内部に焦点レンズ群１１等を収納した気密パッケージ７の外周面には焦点調整リング２８が回動自在に配置されると共に、カバー３５が配置され、焦点調整リング２８は締め代が小さいシール部材４７、４８で回転操作がし易い状態でその内側に防錆処理された磁石２６をシールし、一方カバー３５は締め代を大きくしたシール部材４９によりその内側に配置したにタクトスイッチ３２を十分にシールし、加熱された蒸気滅菌に対しても耐久性を確保できる構造にした。【選択図】  図１
2004188025.tif 000002
【特許請求の範囲】
【請求項１】
加熱された蒸気で滅菌処理される医療機器において、
前記蒸気に対して耐性の低い部品を収納するとともに、防錆性を有する部材で気密に封止されたケースと、
前記ケースにおける外周面部分を覆うカバー部材と、
前記カバー部材と前記ケースとの間に第１の締め代で設けられ、前記ケースの外周面部分を液密的に封止する第１のシール部材と、
前記ケースに回動自在に保持され、操作者が回動操作可能な操作部材と、
前記操作部材に設けられ、防錆性を有するとともに前記操作部材の操作情報を出力するための出力部と、
前記第１の締め代より小さい第２の締め代で前記操作部材と前記ケースとの間に設けられ、前記第１のシール部材より低い液密レベルで前記出力部を封止する第２のシール部材と、
を具備したことを特徴とする医療機器。
【発明の詳細な説明】
【０００１】
【発明の属する技術分野】
本発明は加熱された蒸気で滅菌処理される内視鏡撮像装置等の医療機器に関する。
【０００２】
【従来の技術】
消毒液で滅菌する代わりに加熱された蒸気で滅菌する内視鏡撮像装置が提案されている。
例えば特開２００１−５３９８９号公報にはこの加熱された蒸気で滅菌処理を可能とした、いわゆるオートクレーブに対応した内視鏡用撮像装置が開示されている。
回転動作する焦点調整リング等の防水パッキン（Ｏリング等）の少なくとも１つは、この公報に開示されているように、装置外装部材との間に介在し、焦点調整リングと外装部材とその間のＯリングによって、内部の電気部品等を収容するための防水外殻の一部を形成していた。
【０００３】
オートクレーブによってある程度防水パッキンが劣化しても防水を確保できるような強固なシールにする場合、パッキンの締め代をある程度上げざるをえないが、上記のような一般的な構造の場合、それによってフォーカスリングの回転抵抗も上がってしまい、焦点調整しにくくなってしまうという問題があった。
【０００４】
また、外装部材等を樹脂成型等で製作した場合、肉厚の偏りによってはＯリング当接面の真円度が確保できず、Ｏリングのつぶししろに偏りが出てしまう。そうすると、Ｏリングが劣化した際につぶししろの小さいところから防水が破られてしまう可能性がある。
【０００５】
一方、特開平１１−２０６７０号公報では、ノブの回転軸部分と外装との防水構造が開示されているが、これも上記同様に耐性向上のための締め代向上と、回転操作力量の低減との両立という課題の解決策は示されていない。
また、特開平７−４７０５０号公報では、内視鏡装置の周方向に回転操作する視度調整環の防水において、オートクレーブ耐性向上のために、性質の違うＯリングを２重に配する構造が開示されている。
【０００６】
しかし、この公報にもオートクレーブによるＯリングの劣化に対する解決策が開示されていない他、２重にＯリングを配することで、回転操作の力量は従来よりも大きくなってしまう。
【０００７】
【特許文献１】
特開２００１−５３９８９号公報
【０００８】
【特許文献２】
特開平１１−２０６７０号公報
【０００９】
【特許文献３】
特開平７−４７０５０号公報
【００１０】
【発明が解決しようとする課題】
（発明の目的）
本発明では、調整機構等の回転操作がし易く、加熱された蒸気滅菌に対して耐久性を確保できる医療機器を提供することを目的とする。
【００１１】
【課題を解決するための手段】
加熱された蒸気で滅菌処理される医療機器において、
前記蒸気に対して耐性の低い部品を収納するとともに、防錆性を有する部材で気密に封止されたケースと、
前記ケースにおける外周面部分を覆うカバー部材と、
前記カバー部材と前記ケースとの間に第１の締め代で設けられ、前記ケースの外周面部分を液密的に封止する第１のシール部材と、
前記ケースに回動自在に保持され、操作者が回動操作可能な操作部材と、
前記操作部材に設けられ、防錆性を有するとともに前記操作部材の操作情報を出力するための出力部と、
前記第１の締め代より小さい第２の締め代で前記操作部材と前記ケースとの間に設けられ、前記第１のシール部材より低い液密レベルで前記出力部を封止する第２のシール部材と、
を具備したことにより、防液すべき部品等は第１のシール部材で第１の締め代で強固に封止して耐久性を確保すると共に、焦点調整等の回転操作を行う操作部材に対しては第１のシール部材で前記第１の締め代より低い液密レベルとなる第２の締め代で封止することにより、軽い力量で回転操作でき、操作性を確保できるようにしている。
【００１２】
【発明の実施の形態】
以下、図面を参照して本発明の実施の形態を説明する。
（第１の実施の形態）
図１及び図２は本発明の第１の実施の形態に係り、図１は本発明の医療装置の第１の実施の形態の内視鏡撮像装置におけるカメラヘッド部周辺の構造を示し、図２は図１における焦点調整リング付近のシール機構部分を拡大した断面図を示す。
【００１３】
まず、本実施の形態の構成を説明する。
図１に示す本発明の医療装置における第１の実施の形態としての内視鏡撮像装置１は、図示しない光学式内視鏡の接眼部に着脱自在に接続され、内部に撮像手段を内蔵したカメラヘッド部２と、このカメラヘッド部２の後端から延出されるケーブル部３と、このケーブル部３の後端に設けられ、図示しないプロセッサ或いはカメラコントロールユニットに着脱自在に接続されるコネクタ部とを有している。
【００１４】
カメラヘッド部２の前端は拡径にされ、図示しない光学式内視鏡の接眼部に着脱自在に固定するための内視鏡固定部４が、前側カバー５に当接し、固定リング６により固定されている。
【００１５】
前側カバー５は、その内部を（加熱された蒸気で滅菌可能となる）気密構造にした略円筒形状のケースとしての気密パッケージ７の先端部に固定されており、気密パッケージ７の先端部における接眼部側からの撮像用の光を取り込む開口部分は、透明なサファイアガラス８で気密固定された光学窓となり、また気密パッケージ７の後端の開口はハーメチックコネクタ９が気密に接続されている。
【００１６】
なお、この気密パッケージ７は前側気密パッケージと後側気密パッケージとで構成され、前側気密パッケージの後端と後側気密パッケージの前端との嵌合する部分はろう付け或いは半田付けで気密に接続して、気密にされたケースが形成され、その内部には以下に説明するように蒸気に対する耐性が低い或いは特性劣化がし易い光学部品や固体撮像素子等の電気部品が収納されている。
【００１７】
気密パッケージ７内における前端付近には略円筒形状のフレーム１０が固定され、このフレーム１０の先端部内側には焦点レンズ群１１を保持した円筒形状のレンズ枠１２が固定されている。
【００１８】
フレーム１０の後端側には、前記焦点レンズ群１１の光軸方向に移動可能に撮像素子保持部材１３が嵌入されており、この撮像保持部材１３の先端側には赤外カットフィルタ等の光学フィルタ１４が固定されている。
また、レンズ枠１２と撮像素子保持部材１３との間の空間は蛇腹状枠体１５により防塵されている。
【００１９】
光学フィルタ１４の背面側には固体撮像素子として、例えば電荷結合素子（ＣＣＤと略記）１６を取り付けた撮像素子枠（以下ではＣＣＤ枠と略記）１７が、配置され、このＣＣＤ１６の背面側は電子部品等を実装したフレキシブル基板１８と接続されている。
【００２０】
この場合、撮像素子保持部材１３の後端側は段差状に拡径にされて後方側に延出され、その内側にＣＣＤ１６を取り付けたＣＣＤ枠１７が例えば４ヵ所のビス１９により偏心調整可能に固定され、また光軸方向にはナット２０によって固定されている。
ＣＣＤ１６の背面から後方に延出されたフレキシブル基板１８の後端部はハーメチックコネクタ９と接続された基板コネクタ２１に接続されている。
【００２１】
撮像素子保持部材１３の外周面にはカムピン２２が螺合により半径外側方向に突設されており、このカムピン２２の頭部は撮像素子保持部材１３の外周面に外嵌するフレーム１０に設けたカム溝を貫通してその外周に回転可能に嵌合しているカムリング２３と係合し、カムリング２３が回転されると、カムピン２２を介して撮像素子保持部材１３側、つまり撮像素子保持部材１３に取り付けられた光学フィルタ１４、この撮像素子保持部材１３に固定されたＣＣＤ１６等を光軸方向に移動してフォーカス調整可能にしている。
【００２２】
また、カムリング２３の例えば前端側には複数の内側磁石２４が内側に貫通するように突設されており、フレーム１０の外周面に設けた溝２５に係入している。
【００２３】
一方、各内側磁石２４に対向する位置の気密パッケージ７の外周面にも、内側磁石２４と磁気的に連結した複数の外側磁石２６が設けられ、外側磁石２６は気密パッケージ７の外周面の溝２７と、この気密パッケージ７の外周面に回転自在の操作部材としての焦点調整リング２８の内周面に設けた溝２９とに係入されている。
【００２４】
なお、外側磁石２６の表面にはＮｉメッキなどの防錆処理が施されている。なお、気密パッケージ７はステンレススチール等、耐熱性はもとより防錆性を有する部材等で形成されている。なお、外側磁石２６が防錆性を有する材質の磁石である場合には、防錆処理を施さなくても良い。
【００２５】
上記気密パッケージ７の外周面には、上述のように回転可能に焦点調整リング２８が配置され、またこの焦点調整リング２８の後端に隣接して、気密パッケージ７の外周面の一部を覆うように樹脂製のカバー３５が配置され、気密パッケージ７の外周面とカバー３５の内周面との間のエリアに（以下のように）収納された電気部品をシールするようにしている。
【００２６】
気密パッケージ７の外周面に回転自在に設けた焦点調整リング２８の後端側には、樹脂製のスイッチ台３０が気密パッケージ７の外周面に嵌合して配置されており、固定ナット３１により気密パッケージ７の外周面に固定されている。
【００２７】
このスイッチ台３０の上面には、タクトスイッチ３２が実装されたフレキシブル基板３３が固定されている。タクトスイッチ３２の上面にはゴム製のボタン３４がタクトスイッチ３２を押圧可能に、樹脂製のカバー３５に固定されている。
また、フレキシブル基板３３の基端部は、ハーメチックコネクタ９の後端面に半田付けされている。
【００２８】
さらに、フレキシブル基板３３の基端部にはコネクタ３６が設けられており、ケーブル部３内に挿通されたケーブル３７の芯線が半田付けされた基板３８と接続されている。また、カバー３５の後端側には、Ｏリング３９を介して後端カバー４０が嵌合している。
【００２９】
この後端カバー４０の後端にはゴム製のシール部材４１を挟んでナット４２が螺合しており、このナット４２の内周面にはケーブル保護部材４３の水密シール部を挟んで、ケーブル３７を水密的に保持しているケーブル固定部４４が挿通されている。なお、本実施の形態（他の実施の形態も同様）では水密は液密の機能を有し、また防水は防液の意味も兼ねる。
ケーブル固定部４４の先端部はハーメチックコネクタ９の後端部にビス固定され、後端方向に伸張するフレーム部材４５に固定されている。
【００３０】
一方、焦点調整リング２８の先端側には、図２にも拡大して示すように前側カバー５との間の防水を保つシール部材４７が設けられ、後端側には気密パッケージ７との間の防水を保つシール部材４８が設けられている。そして、ゴム製のシール部材４７、４８の締め代は焦点調整リング２８の回動操作トルクが適切になるように設定されており、軽い力量で回転操作できるようにして操作性を確保している。
【００３１】
また、カバー３５と気密パッケージ７との間の防水を保つシール部材（シール機構）４９は、リング状で、金属または樹脂製のベース部材５０の外周面にシール部材５１をゴムライニングし、またベース部材５０の内周面側にＯリング５２を配置して形成されている。
【００３２】
ゴム製のシール部材５１、Ｏリング５２の締め代は、組立時に悪影響のないレベルで大きくとられている。つまり、シール部材５１、Ｏリング５２の締め代は大きくされ、これらにより防水構造にされたタクトスイッチ３２の接点等が水分で劣化しにくいように耐久性を確保している。また、加熱された蒸気滅菌の際には、完全には蒸気の侵入を防止できないが、締め代を大きくすることにより非常に僅かな量の蒸気侵入のみに抑制でき、実質的には長期間にわたり加熱された蒸気による滅菌（いわゆるオートクレーブ滅菌）に対して、十分な耐久性を確保できるようにしている。
【００３３】
なお、ベース部材５０の前端側にはバックアップリング５３が配置され、このバックアップリング５３とベース部材５０の内周側の切り欠き部との間にＯリング５２が収納される。
【００３４】
このような構成の本実施の形態では、内側を気密構造にし気密パッケージ７における外周面における一部をカバー部材３５で覆い、水密封止する部分の（第１の防水）シール部材４９はその締め代を十分に大きくして、その内側の封止部分のタクチスイッチ３２の接点劣化を防止すると共に、気密パッケージ７における外周面に嵌合して、回転自在に保持（取り付けられる）焦点調整リング２８の内側には防錆性を有する磁石２６を設けて気密パッケージ７を介して内側に配置した磁石２４等を介して焦点調整の操作を行える焦点調整の出力手段を形成し、この場合の磁石２６を防水シールする（第２の防水）シール部材４７、４８の締め代は焦点調整リング２８の回転操作を円滑に行える適度の大きさ（つまり、第１のシール部材４９よる締め代より小さい締め代）にしていることが特徴となっている。
【００３５】
なお、カバー３５における後端側も締め代を大きくしたＯリング３９、シール部材４１でその内側を確実に防水する構造にしている。
このように本実施の形態では、可動されない固定側のカバー３５はその内側のシールすべきエリアは大きな締め代のシール手段で確実にシールし、一方可動される焦点調整リング２８側はその操作性が優先され、その次にシールが望ましい機能となる場合には、操作性を確保できる比較的小さな締め代でシールすることにより、固定側、可動側それぞれの部分に第１に望まれる機能をそれぞれ確保できるようにしている。
【００３６】
この場合、可動側のシールされたエリアに配置される磁石２６は防錆処理を施すことにより、比較的小さな締め代でシールすることによるシール機能の低下を補う手段を形成し、操作性を優先したことによる影響を軽減している。
【００３７】
次に、このような構成の内視鏡撮像装置１の作用を説明する。
シール部材４７、４８と焦点調整リング２８とで第２のシールエリアを形成し、外側磁石２６を防水に収容している。この外側磁石２６には防錆処理がされているので、もし第２の封止エリアに浸水しても支障なく使用できる。
【００３８】
焦点調整をする際には焦点調整リング２８を任意に回転し、その溝２９に係合する外側磁石２６も回転させ、その回転に追随して、内側磁石２４、カムリング２３が回転し、撮像素子保持部材１３を光軸方向に移動させる。その際、焦点調整リング２８と摺動するシール部材４７、４８の締め代は適切にとられているので、回転操作に適当な適度のトルクで回転でき、焦点調整をする際の使い勝手（操作性）が良い。
【００３９】
気密パッケージ７、シール部材４９、カバー３５、後端カバー４０、ケーブル固定部４４を含む後端部で第１のシールエリアを形成し、ケーブル半田付け部やスイッチなどの水分に弱い部分を防水に収容している。各シール部材の締め代は大きくとられているので、度重なるオートクレーブの後にも防水を強固に保つことができ、耐久性を確保できる。
【００４０】
本実施の形態は以下の効果を有する。
【００４１】
締め代を大きくして第１のシール部材でシールされた第１のシールエリアには電気部品などの水分に弱い部品を収容しても防水の機能を高くでき、度重なるオートクレーブに対しても耐久性を高いでき、一方締め代を小さくした第２のシール部材でシールされた第２のエリアには比較的水分に強い部品が収納され、また回転動作により摩擦抵抗が発生するが第２のシール部材の締め代は比較的小さく出来るので、調整機構の回転操作がし易く操作性を確保でき、操作性及び耐久性の良い内視鏡撮像装置１を提供できる。
【００４２】
（第２の実施の形態）
次に図３を参照して本発明の第２の実施の形態を説明する。本実施の形態の内視鏡撮像装置１′は第１の実施の形態に対して、レンズ位置調整機構を複数にした構成であり、図３にその構成を簡略化して示す。
なお、第１の実施の形態と同様の部分については、同じ番号を付与し、その説明を省略する。
【００４３】
第１の実施の形態では、ＣＣＤ１６に結像する結像光学系として、焦点調整を行う焦点レンズ群１１で形成していたが、本実施の形態では、焦点レンズ群１１とさらにズーム倍率を可変するズームレンズ６２とで形成している。
このため、本実施の形態では気密パッケージ７内に設けたフレーム１０の長手方向にズームレンズ６２と焦点レンズ群１１とをそれぞれ取り付けたレンズ枠６３、１２を配置し、それぞれピン６４、２２を外周面側に突出させてカムリング６５、２３に係合させてある。
【００４４】
また、隣接して配置されたカムリング６５、２３にはそれぞれ内側磁石６６、２４が取り付けられており、これらの内側磁石６６、２４は気密パッケージ７の外周面に隣接してそれぞれ回転自在に配置されたズーム調整リング６７、焦点調整リング２８の内周面に取り付けた外側磁石６８、２６と磁気的に結合するようにしている。外側磁石６８、２６は防錆処理が施されている。
【００４５】
焦点調整リング２８には気密パッケージ７との間にシール部材４７、４８が配置され、同様にズーム調整リング６７には気密パッケージ７との間にシール部材６９、７０が適度の締め代で配置されている。また、シール部材４７と７０との間にはバックアップリング７１が配置されている。
【００４６】
つまり、本実施の形態においても、カバー部材３５側の防水シール手段としてのシール部材４９は十分に大きな締め代として十分に防水シールし、これに対して焦点調整リング２８側及びズーム調整リング６７側の防水シールをするシール部材４７、４８及び６９、７０による締め代は（カバー部材３５側よりも）小さく、回動操作をし易くして操作性を確保している。その他の構成は第１の実施の形態と同様の構成である。
【００４７】
次に本実施の形態の作用を説明する。
本実施の形態の作用は焦点調整に関しては第１の実施の形態と同様であり、本実施の形態ではさらにズーム調整リング６７を回転する操作を行うことにより、ズームレンズ６２を光軸方向に移動してズーム倍率を調整することができる。
【００４８】
本実施の形態は以下の効果を有する。
複数の可動部分と防水シール手段があって、防水性が劣化する可能性が高くなってしまう構造であっても、それぞれの可動部の内部は独立した防水エリアとなっており、かつ内部には比較的水分に強い部材のみが収容されているため、もしも可動部のどこかで微量な浸水があっても、支障なく使用することが出来る。
【００４９】
従って第１の実施の形態と同様に、第１の防水シール手段により防水されているエリアには電気部品などの水分に弱い部品を収容し、可動部分をシールする第２の防水シール手段により防水されたエリアには比較的水分に強い部品のみを収容しているため、固定された第１の防水シール手段の締め代は十分にとれ、一方回転動作により摩擦抵抗が発生する第２の防水シール手段の締め代は比較的小さく出来るので、調整機構の回転操作がし易く、かつ度重なるオートクレーブに対しても防水耐久性が高い内視鏡撮像装置１′を提供できる。
【００５０】
（第３の実施の形態）
次に図４を参照して本発明の第３の実施の形態を説明する。図４は第３の実施の形態における調整機構部分を示し、より具体的には内視鏡装置の例えば焦点や電気的ボリュームなどの調整機構を示している。
内視鏡装置８０の外装部材８１に設けられた貫通孔８２には、略円盤状の調整ハンドル８３が貫通しており、この調整ハンドル８３の周辺部と、調整ハンドル８３の外れを防止するために内側から接着固定されている固定部材８４とで外装部材８１の貫通孔８２の縁を挟んでいる。
【００５１】
固定部材８４の底面は内視鏡装置８０の光学系などの内蔵部材を気密に保持する気密パッケージ８５の外面に当接しており、固定部材８４の底面の、ある円周上には防錆処理された複数の外側磁石８６が嵌め込まれている。
【００５２】
また、気密パッケージ８５の内側の例えば枠部材９８には、固定部材８４に対向する位置に、固定部材８４とほぼ同径の円盤部８７を有する回転部材８８が回動自在に配置されており、円盤部８７には外側磁石８６に対向する位置に複数の内側磁石８９が嵌め込まれている。円盤部８７の中心から垂直方向に回転軸９０が突出し、その先端部には軸周りに回転させるための歯車９１が設けられている。歯車９１は位置調整部材９２に設けられたラック９３と噛合している。
【００５３】
固定部材８４の外周部底面側と、気密パッケージ８５との間にはＯリング９４が挟まれており、その締め代は、調整ハンドル８３の回転トルクが操作に適度なものとなるように設定されている。
【００５４】
外装部材８１の貫通孔８２の気密パッケージ８５側の段部と、気密パッケージ８５との間にはＯリング９５が挟まれており、その締め代は比較的大きめにとられている。このＯリング９５によりシールされた気密パッケージ８５の外周面と外装部材８１の内周面との間の図示しない防水エリアには電気スイッチ等の電気部品が配置され、締め代を大きくＯリング９５により十分に防水機能を確保している。なお、符号９６はＯリング９４と９５との干渉を防ぐ円筒状のワッシャである。
【００５５】
次に本実施の形態の作用を説明する。
矢印で示すように回転可能な調整ハンドル８３を回転させると、外側磁石８６の回転に伴って内側磁石８９が嵌め込まれた回転部材８８が回転し、歯車９１がラック９３と係合して位置調整部材９２を矢印の方向（左側）に移動させる。
【００５６】
Ｏリング９４の締め代は、調整ハンドル８３の回転トルクが操作に適度なものとなるように設定されているので、操作に支障が無く防水を保っており、その防水エリアには防錆処理された外側磁石８６のみの収容となっているので、微量な浸水があっても機能に支障はない。
【００５７】
外装部材８１と気密パッケージ８５との間のＯリング９５の締め代は比較的大きめにとられているので、電子部品などの水分に弱い部品を収容しているこの防水エリアは、度重なるオートクレーブの後にも防水を強固に保っている。
【００５８】
本実施の形態は以下の効果を有する。
本実施の形態は、構造は異なっているが基本的には第１の実施の形態と同様の効果を有する。なお、上述した各実施の形態等を部分的に組み合わせた実施の形態等も本発明に属する。
【００５９】
［付記］
１．オートクレーブ滅菌（加熱された蒸気滅菌）可能な内視鏡装置において、
光学系を収容する気密パッケージングと、
気密パッケージングの外から回動操作によって内視鏡装置の機能を調整する調整機構を有し、
内視鏡装置本体部分を概ね覆っている外装部材と気密パッケージングとの第１の防水シール部材と、
調整機構近傍には、回転操作部分と気密パッケージングとの第２の防水シール部材と、
を有し、それぞれ第１及び第２のシール部材は独立した別個のシール部材であり、第１の防水シール部材によって防水された空間には比較的水分に弱い部品を収容し、第２の防水シール部材により防水された空間には比較的水分に強い部品を収容し、第１及び第２のシール部材はそれそれゴム製のパッキンであり、第２のシール部材の締め代は、第１のシール部材の締め代より小さい。
２．付記１において、回転操作部分は光学系の焦点調整を行なう。
３．付記１において、回転操作部分は電気的ボリューム調整を行なう。
【００６０】
【発明の効果】
以上説明したように本発明によれば、加熱された蒸気で滅菌処理される医療機器において、
前記蒸気に対して耐性の低い部品を収納するとともに、防錆性を有する部材で気密に封止されたケースと、
前記ケースにおける外周面部分を覆うカバー部材と、
前記カバー部材と前記ケースとの間に第１の締め代で設けられ、前記ケースの外周面部分を液密的に封止する第１のシール部材と、
前記ケースに回動自在に保持され、操作者が回動操作可能な操作部材と、
前記操作部材に設けられ、防錆性を有するとともに前記操作部材の操作情報を出力するための出力部と、
前記第１の締め代より小さい第２の締め代で前記操作部材と前記ケースとの間に設けられ、前記第１のシール部材より低い液密レベルで前記出力部を封止する第２のシール部材と、
を具備しているので、防液すべき部品等は第１のシール部材で第１の締め代で強固に封止して耐久性を確保すると共に、焦点調整等の回転操作を行う操作部材に対しては第２のシール部材で前記第１の締め代より低い液密レベルとなる第２の締め代で封止することにより、軽い力量で回転操作でき、操作性を確保できる。
【図面の簡単な説明】
【図１】本発明の第１の実施の形態の内視鏡撮像装置におけるカメラヘッド部周辺の構造を示す断面図。
【図２】図１における焦点調整リング付近のシール機構部分の拡大断面図。
【図３】本発明の第２の実施の形態の内視鏡撮像装置におけるカメラヘッド部周辺の構造を示す断面図。
【図４】本発明の第３の実施の形態における調整機構部分を示す断面図。
【符号の説明】
１…内視鏡撮像装置
２…カメラヘッド部
３…ケーブル部
４…内視鏡固定部
５…前側カバー
７…気密パッケージ
９…ハーメチックコネクタ
１０…フレーム
１１…焦点レンズ群
１２…レンズ枠
１３…撮像素子保持部材
１６…ＣＣＤ
１７…ＣＣＤ枠
１８…フレキシブル基板
２１…基板コネクタ
２２…カムピン
２３…カムリング
２４、２６…磁石
２８…焦点調整リング
３０…スイッチ台
３２…タクトスイッチ
３５…カバー
３６…コネクタ
４７，４８…シール部材
４９…シール部材
５０…ベース部材
５１…シール部材
５２…Ｏリング
５３…バックアップリング
【図１】
2004188025.tif 000003
【図２】
2004188025.tif 000004
【図３】
2004188025.tif 000005
【図４】
2004188025.tif 000006